(57)【特許請求の範囲】
【請求項１】
濡れ手を挿入する手乾燥室と、高圧空気を発生する電動送風機と、手乾燥室の入口近傍に設けた電動送風機の送風空気を噴出する噴出孔と、噴出孔より噴出した高速気流を回収し電動送風機に戻す手乾燥室の奥に設けた吸気口と、吸気口と電動送風機の吸込口側とを連通する吸気通路と、電動送風機の排気側と前記噴出口とを連通する送風通路と、前記電動送風機を収納するモータ収納室とを備え、前記モータ収納室または手乾燥室または吸気通路または送風通路のいずれかまたは全部に防水性を有する吸音材を配置した手乾燥装置であって、前記手乾燥室は、入口部から見えない死角部を有しこの死角部に前記吸音材を配置したことを特徴とする手乾燥装置。
【請求項２】
手乾燥室の吸音材は、外表面に多数の小孔を有する保護板または保護網を有する請求項１に記載した手乾燥装置。
【請求項３】
手乾燥室の吸音材は、噴出孔より入口側に配置した請求項１または２に記載した手乾燥装置。
【請求項４】
手乾燥室の吸音材は、表面が手乾燥室の奥側を向くような形状とした請求項３に記載した手乾燥装置。
【請求項５】
手乾燥室の吸音材は、脱着可能とした請求項３または４に記載した手乾燥装置。
【請求項６】
吸音材に抗菌、防カビ剤を配合した請求項１から５のいずれか１項に記載した手乾燥装置。
【請求項７】
手乾燥室は、抗菌、防カビ剤を配合した壁面を有する請求項１から６のいずれか１項に記載した手乾燥装置。
【請求項８】
モータ収納室・手乾燥室・吸気通路・送風通路の吸音材貼付部は、吸音材周辺部より高く構成した請求項１から７のいずれか１項に記載した手乾燥装置。
【発明の詳細な説明】
【０００１】
【発明の属する技術分野】
本発明は、洗面所やトイレ・キッチン等で使用する、水で手を洗った後、手を乾かすために用いる手乾燥装置に関するものである。
【０００２】
【従来の技術】
従来より、水洗等によって濡れた手をタオルやハンカチを使用して拭く代わりに、送風された温風に手をかざすことによって手を乾燥する手乾燥装置が使用されている。
【０００３】
【発明が解決しようとする課題】
しかし前記従来の手乾燥装置は、乾燥の完了までに約２０秒〜１分という長時間を必要としており、また装置を駆動している間は大きな騒音が発生するという課題を有している。
【０００４】
【課題を解決するための手段】
本発明はこのような従来の構成が有している課題を解決するもので、高速気流中に手を挿入する構成として乾燥時間が短い、また要部に吸音材を配置して騒音を低減した手乾燥装置としているものである。
【０００６】
【発明の実施の形態】
請求項１に記載した発明は、手乾燥室の死角部に吸音材を配置することによって、異物が侵入したりしても吸音材が損傷し難く、耐久性の高い手乾燥装置としている。
【０００７】
請求項２に記載した発明は、吸音材は、外表面に多数の小孔を有する保護網を有する構成として、吸音材の損傷を確実に防止できる耐久性の高い手乾燥装置としている。
【０００８】
請求項３に記載した発明は、電動送風機の動作時に手乾燥室から発生する騒音は、噴出孔より入口側に配置した手乾燥室の吸音材によって効果的に吸音され、騒音を低減した手乾燥装置としている。
【０００９】
請求項４に記載した発明は、噴出孔から高速気流を噴射するときの騒音が、表面が手乾燥室の奥側を向くような形状とした手乾燥室の吸音材によって効果的に吸音され、一層騒音を低減できる手乾燥装置としている。
【００１０】
請求項５に記載した発明は、手乾燥室に配置している吸音材を脱着可能な構成として、吸音材の清掃が容易で、吸音効果を長期間維持できる手乾燥装置としている。
【００１２】
請求項６に記載した発明は、吸音材に抗菌、防カビ剤を配合することにより、手から剥離し吸音材表面に付着した水分によって雑菌やカビが繁殖することを防止できる手乾燥装置としている。
【００１３】
請求項７に記載した発明は、手乾燥室の壁面に抗菌、防カビ剤を配合して、手から剥離し手乾燥室表面に付着した水分によって雑菌やカビが繁殖することを防止できる手乾燥装置としている。
【００１４】
請求項８に記載した発明は、モータ収納室・手乾燥室・吸気通路・送風通路の吸音材貼付部を吸音材周辺部より高く構成して、吸音材周辺部に滞留した水分が吸音材の側面より内部に浸透することを防止できる手乾燥装置としている。
【００１５】
【実施例】
以下本発明の実施例について説明する。図１は本実施例の手乾燥装置の構成を示す側断面図である。１は濡れ手を挿入し乾燥する手乾燥室で、手乾燥室１の入口近傍には電動送風機が送風する５ｋＰａ〜１０ｋＰａの高圧空気を送風通路６から手乾燥室１内に案内する噴出孔３を設けている。また手乾燥室１の奥には吸気通路５に連通する吸気口４を設けており、吸気口４から吸気した空気を吸気通路５を介して電動送風機の吸込口側に案内している。前記送風通路６・吸気通路５を構成する壁面には、吸音材８を配置している。図２は、本実施例の手乾燥装置の平面断面図である。前記電動送風機２は、手乾燥室１に隣接して配置しているモータ収納室７内に収納している。図２に示している５は前記吸気通路であり、壁面には吸音材８が配置されている。また吸気通路５は、電動送風機２の吸込口９と手乾燥室１の奥に配置している吸気口４とを連通している。また図３は、本実施例の手乾燥装置の正面断面図である。図３に示している６は、電動送風機２の排気側と噴出口３とを連通する送風通路を示している。
【００１６】
前記吸音材８は、図４に示すような構成となっている。即ち基材８ａと基材８ａの上に設けた防水シート８ｂとから成っているものである。基材８ａには、吸音効果を有する発泡ウレタン等を使用している。また防水シート８ｂには例えば非発泡ポリエチレンシート等を使用している。
【００１７】
以下本実施例の動作について説明する。使用者が濡れた手を手乾燥室１に挿入すると、図示していないセンサが作用して、電動送風機２が回転を開始する。電動送風機２が送風する高圧の気流は、送風通路６を通って噴出孔３から手乾燥室１内に高速気流として吹き出される。従って、手乾燥室１内に挿入した手には、指先、指の股、掌、手の甲等に高速気流が衝突する。このため、手の各部に付着している水分はスムースに吹き飛ばされ、短時間で手は乾燥される。こうして手を乾燥した高速気流は、手乾燥室１の奥に配置している吸気口４から吸気通路５を通って電動送風機２の吸込口９側に戻るものである。使用者が手乾燥室１から乾燥した手を抜くと、図示していないセンサが作用して電動送風機２が回転を停止する。
【００１８】
このとき本実施例によれば、電動送風機２・送風通路６・噴出孔３・手乾燥室１・吸気口４・吸気通路５と電動送風機２の吸込口９が構成する吸気・送風経路はほぼ閉鎖系となっているものである。つまり、手乾燥室１の奥に設けている吸込口４から室内の空気が吸気されることは殆どないものである。このため、電動送風機２の回転に伴って発生する騒音は、モータ収納室７・吸気通路５・送風通路６に配置している吸音材８によって効果的に吸音され、低減されるものである。またこのとき、吸音材８の表面は防水シート８ｂとなっている。このため、手乾燥時に手から剥離し吸込口４から機器内部に進入した水分が吸音材８の表面にふりかかっても、基材８ａ内に浸透することはないものである。従って、基材８ａ内部で雑菌やカビが繁殖することがない。また、この水分は防水シート８ｂ上に存在するため早く乾燥させることができる。
【００１９】
またこのとき、手乾燥室１を図５に示すような構成とした場合には、手乾燥室１内に異物が侵入したりしても吸音材が損傷し難く、耐久性の高い手乾燥装置を実現できるものである。図５中の１ａは、手乾燥室１に入口部から見えない位置に設けている死角部で、この死角部１ａ内に吸音材１０を配置しているものである。また３は前述した噴出孔であり、噴出孔３からは電動送風機２が送風する高圧気流が高速で噴出される。
【００２０】
つまり、濡れ手を乾燥するために手乾燥室１内に濡れ手を挿入したとき、あるいは何かの原因で異物が手乾燥室１内に侵入したような場合に、吸音材１０は死角部１ａ内に配置しているため、この異物が吸音材１０に衝突或いは接触することはないものである。従って、吸音材１０は損傷を受け難く、耐久性の高い手乾燥装置を実現できるものである。
【００２１】
またこのとき、手乾燥室１に配置している吸音材１０を図６に示す構成とした場合には、吸音材の損傷を確実に防止できる耐久性の高い手乾燥装置を実現できるものである。すなわち、本実施例では吸音材１０は、基材１０ａと基材１０ａの上に設けた防水シート１０ｂと、防水シート１０ｂの上に設けた多数の小孔を有する保護板または保護網１０ｃとによって構成している。保護板または保護網１０ｃは、プラスチックまたは金属によって構成している。
【００２２】
この構成とした場合には、吸音材１０の配置場所に特に限定しなくとも、表面に保護板または保護網１０ｃを設けているため、異物による損傷を受けることはないものである。従って一層耐久性の高い手乾燥装置を実現できるものである。
【００２３】
またこのとき、手乾燥室１の構成を図７に示すようにすれば、一層騒音を低減できる手乾燥装置を実現できるものである。本実施例では、吸音材１０を噴出孔３より手乾燥室１の入口側に配置しているものである。この構成とした場合には、噴出孔３から噴出される高速噴流の噴射音や、電動送風機２の動作音が手乾燥室１を構成する筺体から外部に伝搬するときに、手乾燥室１の入口側に設けている吸音材１０によって確実に吸音されるものである。従って、手乾燥室１から発生する騒音は吸音材１０によって効果的に吸音され、騒音を低減した手乾燥装置を実現できるものである。
【００２４】
またこのとき、図８に示しているように、手乾燥室の吸音材１０を、表面が手乾燥室１の奥側を向くような形状とした場合には、一層騒音を低減できる手乾燥装置を実現できるものである。つまり本実施例では、手乾燥室１の入口部に設けている支持部１ｂに傾斜を設けて、支持部１ｂ上に吸音材１０を配置しているものである。このため、吸音材１０の表面が手乾燥室１の出口面積を減少させており、このため、手乾燥室１から発生する騒音は吸音材１０によって効果的に吸音されるものである。もちろん、支持部１ｂを使用しないで、吸音材１０自体に傾斜を設けたものを配置しても同様の効果を発揮できるものである。
【００２５】
またこのとき、図９に示しているように、手乾燥室１の入口部に配置している吸音材１０を脱着可能に構成することによって、吸音材１０の清掃が容易にでき、耐久性の高い手乾燥装置を実現できるものである。つまり本実施例では、吸音材１０を配置した支持部１ｂが手乾燥室１から脱着自在となっており、更に支持部１ｂから吸音材１０が脱着自在となっているものである。このため、支持部１ｂを手乾燥室１から取り外し、吸音材１０を取り外して例えば水洗することが出来るものである。従って吸音材１０の表面に塵埃等が詰まっても簡単に除去でき、吸音効果を維持することが出来る耐久性の高い手乾燥装置を実現できるものである。
【００２６】
さらにこのとき、図１０に示しているように、２種以上の吸音材を各部に使用する構成とした場合には、一層吸音特性の高い、騒音を低減できる手乾燥装置を実現できるものである。１１・１２は吸音材を示しており、吸音材１１は高周波音を効率的に吸音する特性を有しており、吸音材１２は低周波音を効率的に吸音する特性を有しているものである。この吸音特性の異なる２種以上の吸音材１１・１２を、吸気通路５・モータ収納室７、手乾燥室１・送風通路６に併用使用することによって、低周波域から高周波域まで電動送風機２および噴出孔３からの噴流による騒音を吸音することができ、より騒音を低減できる手乾燥装置を実現できるものである。
【００２７】
また、前述したように吸音材８は図４に示した構成としている。このとき、吸音材８を構成する防水シ−ト８ｂに、抗菌、防カビ剤として作用する銀系無機抗菌剤を配合することができる。この構成とした場合には、手から剥離し吸音材８の表面に付着した水分によって雑菌やカビが繁殖することを防止することができる。
【００２８】
また、手乾燥室１を構成する壁面に、同様に、抗菌、防カビ剤として作用する銀系無機抗菌剤を配合することができる。この構成とした場合には、手から剥離された水分によって、手乾燥室１内に雑菌やカビが繁殖することを防止することができる。
【００２９】
また、図１１に示しているように、モータ収納室・手乾燥室・吸気通路・送風通路の吸音材貼付部１３は、吸音材周辺部１４より高く構成することができる。この場合には、吸音材周辺部１４に滞留した水分が吸音材８の側面より内部に浸透することを防止でき、吸音材８の内部で雑菌やカビが繁殖することを防ぐことができる。
【００３１】
【発明の効果】
請求項１に記載した発明は、濡れ手を挿入する手乾燥室と、高圧空気を発生する電動送風機と、手乾燥室の入口近傍に設けた電動送風機の送風空気を噴出する噴出孔と、噴出孔より噴出した高速気流を回収し電動送風機に戻す手乾燥室の奥に設けた吸気口と、吸気口と電動送風機の吸込口側とを連通する吸気通路と、電動送風機の排気側と前記噴出口とを連通する送風通路と、前記電動送風機を収納するモータ収納室とを備え、前記モータ収納室または手乾燥室または吸気通路または送風通路のいずれかまたは全部に防水性を有する吸音材を配置した構成として、乾燥時間の短い、また騒音を低減した手乾燥装置を実現するものであって、手乾燥室は、入口部から見えない死角部を有しこの死角部に吸音材を配置した構成として、異物が侵入したりしても吸音材が損傷し難く、耐久性の高い手乾燥装置を実現できるものである。
【００３２】
請求項２に記載した発明は、吸音材は、外表面に多数の小孔を有する保護板または保護網を有する構成として、吸音材の損傷を確実に防止できる耐久性の高い手乾燥装置を実現できるものである。
【００３３】
請求項３に記載した発明は、手乾燥室の吸音材は、噴出孔より入口側に配置した構成として、電動送風機の動作時に手乾燥室から発生する騒音を効果的に吸音でき、騒音を低減した手乾燥装置を実現できるものである。
【００３４】
請求項４に記載した発明は、手乾燥室の吸音材は、表面が手乾燥室の奥側を向くような形状として、噴出孔から高速気流を噴射するときの騒音が効果的に吸音され、一層騒音を低減できる手乾燥装置を実現できるものである。
【００３５】
請求項５に記載した発明は、手乾燥室の吸音材は脱着可能とした構成として、吸音材の清掃が容易で、吸音効果を長期間維持できる手乾燥装置を実現できるものである。
【００３７】
請求項６に記載した発明は、吸音材に抗菌、防カビ剤を配合した構成として、手から剥離した水分が吸音材表面に付着しても、吸音材に雑菌やカビが繁殖することを防止する手乾燥装置を実現するものである。
【００３８】
請求項７に記載した発明は、手乾燥室は、抗菌、防カビ剤を配合した壁面を有する構成として、手から剥離した水分が手乾燥室の表面に付着しても手乾燥室に雑菌やカビが繁殖することを防止する手乾燥装置を実現するものである。
【００３９】
請求項８に記載した発明は、モータ収納室・手乾燥室・吸気通路・送風通路の吸音材貼付部は、周辺部より高く構成することによって、周辺部に貯溜した水分が吸音材の側面より内部に浸透することを防止し、吸音材の内部で雑菌やカビが繁殖することを防止できる手乾燥装置を実現するものである。
【図面の簡単な説明】
【図１】本発明の実施例である手乾燥装置を示す側面断面図
【図２】同、手乾燥装置の平面断面図
【図３】同、手乾燥装置の正面断面図
【図４】同、吸音材の構成を示す斜視図
【図５】同、乾燥室が死角部を有する構成を示す側面断面図
【図６】同、手乾燥室内の吸音材の構成を示す斜視図
【図７】同、手乾燥室の吸音材の配置状態を示す手乾燥装置の側面断面図
【図８】同、手乾燥室に配置した吸音材の形状を説明する手乾燥装置の側面断面図
【図９】同、脱着可能とした手乾燥室の吸音材を示す手乾燥装置の側面断面図
【図１０】同、各部に配置した吸音材が２種以上であることを説明する手乾燥装置の平面断面図
【図１１】同、吸音材貼付部を周辺部より高くした状態を説明する手乾燥装置の側面断面図
【符号の説明】
１  手乾燥室
１ａ  死角部
１ｂ  支持部
２  電動送風機
３  噴出孔
４  吸気口
５  吸気通路
６  送風通路
７  モータ収納室
８  吸音材
８ａ  基材
８ｂ  防水シート
９  電動送風機の吸込口
１０  吸音材
１０ａ  基材
１０ｂ  防水シート
１０ｃ  保護板または保護網
１１  吸音材
１２  吸音材
１３  吸音材貼付部
１４  吸音材周辺部
【図１】
0003870521.tif 000002
【図２】
0003870521.tif 000003
【図３】
0003870521.tif 000004
【図４】
0003870521.tif 000005
【図５】
0003870521.tif 000006
【図６】
0003870521.tif 000007
【図７】
0003870521.tif 000008
【図８】
0003870521.tif 000009
【図９】
0003870521.tif 000010
【図１０】
0003870521.tif 000011
【図１１】
0003870521.tif 000012